(57)【要約】  空気調和装置において複数の室内機が１つの室外機にマルチ接続されている。複数の室内機で静音性優先モードが設定されている場合、風速の複数の制御レベルのうち、所定の風速以上に対応した制御レベルは選択しないよう、各室内機を制御し、かつ、複数の室内機のそれぞれの室内ファンの能力の総和によって、設定温度と室内温度との温度差が縮小されるよう、各室内機を制御する。
2017187480.tif 000002
【特許請求の範囲】
【請求項１】
空調空間に風を供給する室内ファンを有する複数の室内機と、
空調空間の室内温度を検知する温度センサーと、
空調空間における人の存在を検知する人感センサーと、
前記複数の室内機を制御して空調空間全体の空調を制御する空調制御手段とを備え、
前記空調制御手段は、前記温度センサーにより検知される室内温度と設定温度との温度差のレベルに対応して段階的に規定されている前記室内ファンの風速の複数の制御レベルの中から、実際の前記温度差の解消に適した制御レベルを選択し、選択した制御レベルに従って前記複数の室内機の前記室内ファンの風速を制御するものであり、
前記複数の室内機に、室内機の運転時に能力よりも静音性を優先させる運転モードである静音性優先モードが設定されている場合、前記空調制御手段は、前記複数の制御レベルのうち、所定の風速以上に対応した制御レベルより低い制御レベルの中から制御レベルを選択して前記室内ファンを制御し、かつ、前記複数の室内機のそれぞれの前記室内ファンの能力の総和によって実際の前記温度差が縮小されるよう、前記複数の室内機のそれぞれの前記室内ファンを制御する空気調和装置。
【請求項２】
前記複数の室内機のうち少なくとも１つの室内機の能力が他の室内機の能力と異なっており、かつ、前記複数の室内機のそれぞれの実際の前記温度差のレベルが異なっているとき、
前記空調制御手段は、
前記複数の室内機のうち、実際の前記温度差が他の前記室内機に比べて小さい前記室内機について、前記室内ファンの風速を高くする請求項１に記載の空気調和装置。
【請求項３】
能力が相対的に高い前記室内機における前記温度差のレベルが、能力が相対的に低い前記室内機における前記温度差のレベルよりも高く、かつ、前記室内機のそれぞれの風速が異なっているとき、
前記空調制御手段は、能力が相対的に低い前記室内機の前記室内機ファンの風速を高くする請求項２に記載の空気調和装置。
【請求項４】
能力が相対的に低い前記室内機における前記温度差のレベルが、能力が相対的に高い前記室内機における前記温度差のレベルよりも高く、かつ、前記室内機のそれぞれの風速が異なっているとき、
前記空調制御手段は、能力が相対的に高い前記室内機の前記室内ファンの風速を高くする請求項２または３に記載の空気調和装置。
【請求項５】
前記複数の室内機のうち少なくとも１つの室内機の能力が他の室内機の能力と異なっており、かつ能力が相対的に低い前記室内機における前記温度差のレベルと、能力が相対的に高い前記室内機における前記温度差のレベルとが同一であるとき、
前記空調制御手段は、能力が相対的に低い前記室内機の前記室内機ファンの騒音レベルが、能力が相対的に高い前記室内機において、静音性優先モードで選択可能な前記制御レベルのうち最も高い風速に対応する制御レベルが選択されて前記室内機ファンが運転されているときの騒音レベルを限度として上昇するよう、能力が相対的に低い前記室内機の前記室内機ファンの風速を高くする請求項２〜４のいずれか１項に記載の空気調和装置。
【請求項６】
前記複数の室内機の能力が同一であるとき、前記空調制御手段は、空調空間において、前記人感センサーにより人の存在が検知された前記室内機の前記室内機ファンの風速を上げる請求項１に記載の空気調和装置。
【請求項７】
前記空調制御手段は、所定期間が経過するまで前記複数の室内機のそれぞれの前記室内機ファンの風速を制御する請求項１〜６のいずれか１項に記載の空気調和装置。
【請求項８】
前記所定期間は、静音性優先モードが開始された時点から計測される請求項７に記載の空気調和装置。
【発明の詳細な説明】
【技術分野】
【０００１】
本発明は、風量自動運転の機能を備えた空気調和装置に関するものである。
【背景技術】
【０００２】
従来、風量自動運転の機能を備えた空気調和機では、リモコン等によってユーザが任意に設定する設定温度と、空調対象の室温との差に基づいて、空気調和機の室内ファンの回転数を制御している。具体的には、設定温度と室温との差が大きい場合、室内ファンの回転数を大きくし、設定温度と室温との差が小さい場合、室内ファンの回転数を小さくしている。このように室内ファンの回転数を制御することにより、室内機の吹出口から吹き出される空気の風量が制御されている（特許文献１〜３参照）。【０００３】
また、設定温度と室温との差が大きい場合、室内ファンの回転数が大きい状態が長時間続くことがある。その結果、室内機の吹出口から吹き出される空気の風量が大きい状態が長時間続き、ユーザに、騒音、ドラフト感、書類のばたつき、髪の毛の乱れ等の不快感を与える場合がある。そこで、風量自動運転において、規定回数以上に対応した制御ゾーンを選択しない風量の制御が所定期間、行われている（特許文献４参照）。
【先行技術文献】
【特許文献】
【０００４】
【特許文献１】特開平４−５２４５１号公報
【特許文献２】特開平５−３２２２９０号公報
【特許文献３】特開平２−７８７９６号公報
【特許文献４】特開２００９−１４５００８号公報
【発明の概要】
【発明が解決しようとする課題】
【０００５】
しかしながら、特許文献４に記載の空気調和機では、空気調和機の能力が不足している場合、所定時間経過した後も設定温度と室温との差が大きく、ユーザに不快感を与えてしまう。また、空気調和機の能力が足りていたとしても、通常モードによる運転に比べ、室温が設定温度に近づくまでに長い時間を必要とし、ユーザに不快感を与えてしまう。【０００６】
本発明は、上記のような課題を解決するためになされたものであり、静音性を確保しつつ、温度面でユーザに快適な空調空間を提供することを目的とする。
【課題を解決するための手段】
【０００７】
本発明に係る空気調和装置は、空調空間に風を供給する室内ファンを有する複数の室内機と、空調空間の室内温度を検知する温度センサーと、空調空間における人の存在を検知する人感センサーと、複数の室内機を制御して空調空間全体の空調を制御する空調制御手段とを備え、空調制御手段は、温度センサーにより検知される室内温度と設定温度との温度差のレベルに対応して段階的に規定されている室内ファンの風速の複数の制御レベルの中から、実際の前記温度差の解消に適した制御レベルを選択し、選択した制御レベルに従って複数の室内機の室内ファンの風速を制御するものであり、複数の室内機に、室内機の運転時に能力よりも静音性を優先させる運転モードである静音性優先モードが設定されている場合、空調制御手段は、複数の制御レベルのうち、所定の風速以上に対応した制御レベルより低い制御レベルの中から制御レベルを選択して室内ファンを制御し、かつ、複数の室内機のそれぞれの室内ファンの能力の総和によって実際の温度差が縮小されるよう、複数の室内機のそれぞれの室内ファンを制御するものである。
【発明の効果】
【０００８】
本発明に係る空気調和装置によると、複数の室内機に静音性優先モードが設定されている場合、各室内機は、所定の風速以上に対応した温度差の制御レベルは選択しないよう運転されつつ、各室内機の能力の総和で設定温度と室温との温度差が縮小するよう運転される。従って、ユーザに騒音、ドラフト感、書類のばたつき、髪の毛の乱れ等の不快感を与えることがなく、かつ、温度差が縮小されないことに起因する温度面での不快感をユーザに与えることがない。その結果、快適な空調空間を提供することができる。
【図面の簡単な説明】
【０００９】
【図１】本発明の実施の形態１におけるシステム構成図である。
【図２】本発明の実施の形態１における空気調和装置の冷媒回路の概略図である。
【図３】本発明の実施の形態１における空気調和装置の制御ブロック図である。
【図４】本発明の実施の形態１における能力優先モード時の温度差と室内機の風速との関係を示す図である。
【図５】本発明の実施の形態１における静音性優先モード時の温度差と室内機の風速との関係を示す図である。
【発明を実施するための形態】
【００１０】
以下に、本発明における空気調和装置の実施の形態を図面に基づいて詳細に説明する。なお、以下に説明する実施の形態によって本発明が限定されるものではない。また、以下の図面においては各構成部材の大きさは実際の装置とは異なる場合がある。
【００１１】
実施の形態１．
図１は、本発明の実施の形態１におけるシステム構成図である。空気調和装置１は、空調空間１００の外に配置されている室外機１０と、空調空間１００内に配置されている第１の室内機２０と、第２の室内機３０とを有している。すなわち、１つの空調空間１００に複数の室内機が配置されている。第１の室内機２０および第２の室内機３０は、それぞれマルチ接続可能な空気調和機であり、１つの室外機１０に接続されている。本実施の形態１において、第１の室内機２０の能力（ｋＷ）は第２の室内機３０の能力よりも高い。ユーザがリモコン２１を操作することにより、第１の室内機２０の運転モード、吹出口から吹き出される空気の風量、風向等が選択できるようになっている。同様に、ユーザがリモコン３１を操作することにより、第２の室内機３０の運転モード、吹出口から吹き出される空気の風量、風向等が選択できるようになっている。運転モードには冷房運転モードおよび暖房運転モードがあり、さらに、静音性優先モードおよび能力優先モードがある。静音性優先モードは、室内機の運転時に能力よりも静音性を優先させて空調を行う運転モードであり、能力優先モードは、室内機の運転時に静音性よりも能力を優先させて空調を行う運転モードである。
【００１２】
図２は、本発明の実施の形態１における空気調和装置の冷媒回路の概略図である。空気調和装置１において、第１の室内機２０および第２の室内機３０と、室外機１０とは、配管Ａおよび配管Ｂで接続されている。第１の室内機２０と第２の室内機３０とは、並列に接続されている。配管Ａおよび配管Ｂは、冷媒（熱源側冷媒）を導通する冷媒配管である。
【００１３】
室外機１０は、圧縮機１１と、四方弁等の流路切替装置１２と、熱源側熱交換器１３と、アキュムレーター１４とが配管で接続されている。圧縮機１１は、冷媒を吸入し、その冷媒を圧縮して高温高圧の状態にして冷媒回路に搬送するものであり、例えば容量制御可能なインバータ圧縮機で構成される。流路切替装置１２は、暖房運転モード時における冷媒の流れと冷房運転モード時における冷媒の流れとを切り替えるものである。熱源側熱交換器１３は、暖房運転モード時には蒸発器として機能し、冷房運転モード時には放熱器として機能し、室外機ファン１５によって供給される空気と冷媒との間で熱交換を行う。アキュムレーター１４は、圧縮機１１の吸入側に設けられており、暖房運転モード時と冷房運転モード時の違いによる余剰冷媒、過渡的な運転の変化における余剰冷媒を蓄えるものである。
【００１４】
第１の室内機２０において、利用側熱交換器（室内側熱交換器）２２および絞り装置２３が直列に接続され、第２の室内機３０において、利用側熱交換器３２および絞り装置３３が直列に接続されている。第１の室内機２０および第２の室内機３０は、暖房運転モード時には凝縮器、冷房運転モード時には蒸発器として機能し、それぞれ室内機ファン２４若しくは室内機ファン３４で供給される空気と冷媒との間で熱交換を行い、空調対象空間に供給するための冷房用空気又は暖房用空気を発生させる。絞り装置２３、３３は、減圧弁や膨張弁としての機能を有しており、冷媒を減圧して膨張させるものであり、例えば、開度が可変に制御可能な電子式膨張弁で構成される。空気調和装置１では、第１の室内機２０と第２の室内機３０の２台の室内機が並列に接続されているが、これは一例であり、室内機の台数は２台には限定されない。
【００１５】
図３は、本発明の実施の形態１における空気調和装置の制御ブロック図である。室外機１０の室外機制御手段１６は、室外機１０を制御するとともに、空気調和装置１を全体的に制御し、空調空間１００の空調を制御する。第１の室内機２０の室内機制御手段２５には、ユーザがリモコン２１で設定した、運転モード、温度、吹出口から吹き出される空気の風速、風向等の情報は、送られる。また、室内機制御手段２５には、温度センサー２６により検知された空調空間１００の室内温度、人感センサー２７により検知された空調空間１００において人が存在する位置情報が送られる。室内機制御手段２５は、これらの情報に基づいて室内機ファン２４，および風向調整手段２８の制御を行う。同様に、第２の室内機３０の室内機制御手段３５には、ユーザがリモコン３１で設定した、運転モード、温度、吹出口から吹き出される空気の風速、風向等の情報が送られる。また、室内機制御手段３５には、温度センサー３６により検知された空調空間１００の室内温度、人感センサー３７により検知された空調空間１００において人が存在する位置情報が送られる。室内機制御手段３５は、これらの情報に基づいて、室内機ファン３４，および風向調整手段３８の制御を行う。
【００１６】
図４は、本発明の実施の形態１における能力優先モード時の温度差と室内機の風速との関係を示す図である。図４（ａ）は、温度変化と風速を対応づけて示すチャート図である。図４（ｂ）は、風速の切替条件と設定される風速との関係を示すテーブルである。第１の室内機２０および第２の室内機３０の双方において、能力優先モードが選択された場合の風速自動運転時、これらの図で示される切替条件に従って風速切替が実行される。第１の室内機２０および第２の室内機３０は、吹出口から吹き出される空気の風速を強風、中風、弱風、および静寂の４段階で制御できる、４速機種である。図４に示されるように、リモコン２１、３１によってユーザに設定された設定温度（以下、設定温度）と温度センサー２６、３６で検知された空調空間１００の室内温度との温度差の範囲を４段階の制御レベルにグループ分けし、風速の４段階と対応づけられている。設定温度と温度センサー２６、３６で検知された空調空間１００の室内温度との温度差をΔＴ１とする。第１の室内機２０および第２の室内機３０は、温度差ΔＴ１が１℃より低い場合、静粛で運転され、温度差ΔＴ１が２℃以上かつ３℃より低い場合、弱風で運転され、温度差ΔＴ１が４℃以上かつ５℃より低い場合、中風で運転され、温度差ΔＴ１が６℃以上の低い場合、強風で運転される。
【００１７】
さらに、第１の室内機２０および第２の室内機３０は、温度差ΔＴ１が１℃以上かつ２℃より低い場合、温度差ΔＴ１が３℃以上かつ４℃より低い場合、および温度差ΔＴ１が５℃以上かつ６℃より低い場合、前回のノッチで、換言するとそれまで使用されていた風速で選択される。例えば、温度差ΔＴ１が徐々に大きくなった結果、温度差ΔＴ１が３℃に達したことが確認された場合、温度差ΔＴ１が４℃に達するまでは、前回ノッチである弱風で運転される。一方、温度差ΔＴ１が徐々に小さくなった結果、温度差ΔＴ１が４℃に達したことが確認された場合、温度差ΔＴ１が３℃未満に達するまでは、前回ノッチである弱風で運転される。温度差ΔＴ１が３℃以上かつ４℃より低い場合は、それまでの運転状況に応じて弱風で運転される場合もあれば中風で運転される場合もある。温度差ΔＴ１が１℃以上かつ２℃より低い場合、および温度差ΔＴ１が５℃以上かつ６℃より低い場合も同様である。
【００１８】
図５は、本発明の実施の形態１における静音性優先モード時の温度差と室内機の風速との関係を示す図である。図５（ａ）は、温度変化と風速を対応づけて示すチャート図である。図５（ｂ）は、風速の切替条件と設定される風速との関係を示すテーブルである。第１の室内機２０および第２の室内機３０の双方において、静音優先モードが選択された場合の風速自動運転時、これらの図で示される切替条件に従って風速切替が実行される。図５は、本発明の実施の形態１における静音性優先モード時の風速自動運転で使用される風速選択テーブルと風速切替え条件テーブルである。図４（ａ）は、温度変化と風速を対応づけて示すチャート図である。図４（ｂ）は、風速の切替条件と設定される風速との関係を示すテーブルである。これらのテーブルは、上述の４速機種である第１の室内機２０および第２の室内機３０の双方において、静音性優先モードが選択された場合に実行される。静音性優先モードが選択された場合は、運転中に発生する騒音を抑制することが求められる。従って、静音性優先モードにおいては、温度差ΔＴ１が５℃以上の場合であっても強風は選択されず、中風で運転される。その他は、上述の能力重視モードと同様の条件で風速が選択される。
【００１９】
ここで、本実施の形態１における室外機制御手段１６の制御について説明する。第１の室内機２０の温度センサー２６により検知された空調空間１００の室温とリモコン２１により設定された設定温度との温度差が属する制御レベルと、第２の室内機３０の温度センサー３６により検知された空調空間１００の室温とリモコン３１により設定された設定温度との温度差の制御レベルが比較される。そして、制御レベルの温度範囲が小さいほうの室内機について、室内ファンの風速を高くするよう、当該室内機の室内機制御手段を制御する。
【００２０】
例えば、第１の室内機２０の温度センサー２６により検知された空調空間１００の室温とリモコン２１により設定された設定温度との温度差が４℃、第２の室内機３０の温度センサー３６により検知された空調空間１００の室温とリモコン３１により設定された設定温度との温度差が２℃とする。この場合、図５に示すように、第１の室内機２０の室内機ファン２４は中風で運転され、第２の室内機３０の室内機ファン３４は弱風で運転されている。室外機制御手段１６は、第２の室内機３０の室内機ファン３４が中風で運転されるよう、室内機制御手段３５を制御する。また、第１の室内機２０の温度センサー２６により検知された空調空間１００の室温とリモコン２１により設定された設定温度との温度差が２℃、第２の室内機３０の温度センサー３６により検知された空調空間１００の室温とリモコン３１により設定された設定温度との温度差が４℃とする。この場合、図５に示すように、第１の室内機２０の室内機ファン２４は弱風で運転され、第２の室内機３０の室内機ファン３４は中風で運転されている。室外機制御手段１６は、第１の室内機２０の室内機ファン２４が中風で運転されるよう、室内機制御手段２５を制御する。
【００２１】
また、第１の室内機２０における温度差が属する制御レベルと、第２の室内機３０における温度差が属する制御レベルが同じ制御レベルである場合、室外機制御手段１６は、第２の室内機３０の室内機ファン３４の騒音レベルが、第１の室内機２０において、選択可能な制御レベルのうち最も高い風速に対応する制御レベルが選択されて室内機ファン２４が運転されているときの騒音レベルを限度として上昇すうよう、室内機ファン３４の風速を高くする。
【００２２】
例えば、第１の室内機２０の温度センサー２６により検知された空調空間１００の室温とリモコン２１により設定された設定温度との温度差、および第２の室内機３０の温度センサー３６により検知された空調空間１００の室温とリモコン３１により設定された設定温度との温度差がともに６℃以上であるとする。この場合、室外機制御手段１６は、室内機ファン３４の風速を上昇させるが、騒音レベルが室内機ファン２４が中風で運転されている場合の騒音レベルを超えないよう、制御する。
【００２３】
以上のように、本実施の形態１によれば、第１の室内機２０および第２の室内機３０において静音性優先モードが設定されている場合、第１の室内機２０および第２の室内機３０のそれぞれの温度差の制御レベルが比較される。そして、制御レベルの温度範囲が小さいほうの室内機について、室内ファンの風速を高くするよう制御される。すなわち、第１の室内機２０および第２の室内機３０のそれぞれで静音性優先モードによる運転を実行しつつ、第１の室内機２０および第２の室内機３０の能力の総和で温度差を縮小するよう運転される。従って、静音性を維持しつつ、ユーザが求める設定温度に短時間で近づけることができる。すなわち、ユーザに騒音、ドラフト感、書類のばたつき、髪の毛の乱れ等の不快感を与えることがなく、かつ、温度面での不快感をユーザに与えることがない。その結果、ユーザに快適な空調空間を提供することができる。
【００２４】
実施の形態２．
次に、本発明に係る実施の形態２について説明する。本実施の形態２では、第１の室内機２０の能力と第２の室内機３０に同一の能力を有する室内機が用いられる。なお、実施の形態２において、第１の室内機２０の能力と第２の室内機３０の能力が同一であることを除けば、システム構成、冷媒回路の構成、制御ブロックの構成、および風速の切替条件は、図１〜図５を参照して説明した実施の形態１のものと同様であるので、これらの説明は省略する。
【００２５】
本実施の形態２では、第１の室内機２０および第２の室内機３０において静音性優先モードが設定されている場合、室外機制御手段１６は、空調空間１００において、人感センサー２７、２７により人の存在が検知された室内機の室内機ファンの風速を上げる。図１に示されているように、空調空間１００において、人が第２の室内機３０よりも第１の室内機２０の近傍に存在している場合、人感センサー２７により人の存在が検知される。この場合、室外機制御手段１６は、第２の室内機３０の室内機制御手段３５には、室内機ファン３４の風速を現状のまま維持するよう指示を出し、第１の室内機２０の室内機制御手段２５には、室内機ファン２４の風速を上げる指示を出す。本実施の形態２によれば、第１の室内機２０および第２の室内機３０の能力が同一の場合、静音性を維持しつつ体感温度を良好なものとすることができる。従って、第１の室内機２０および第２の室内機３０の能力が同一であっても、ユーザに騒音、ドラフト感、書類のばたつき、髪の毛の乱れ等の不快感を与えることがなく、かつ、温度面での不快感をユーザに与えることがない。その結果、ユーザに快適な空調空間を提供することができる。
【００２６】
上述の実施の形態１および実施の形態２における室外機制御手段１６による制御は、所定時間の間、実行されるよう制御されてもよい。その場合、所定時間は静音性優先モードが設定されてから計測される。
【００２７】
なお、実施の形態１および実施の形態２では、室外機１０の室外機制御手段１６が第１の室内機２０の室内機制御手段２５および第２の室内機３０の室内機制御手段３５を制御しているがこれに限るものではない。室内機制御手段２５および室内機制御手段３５を制御する制御手段を別途設けてもよい。
【符号の説明】
【００２８】
１  空気調和装置、１０  室外機、１６  室外機制御手段、２０  第１の室内機、２１  リモコン、２２  利用側熱交換器、２３  絞り装置、２４  室内ファン、２５  室内機制御手段、２６  温度センサー、２７  人感センサー、２８  風向調整手段、３０  第２の室内機、３１  リモコン、３２  利用側熱交換器、３３  絞り装置、３４  室内ファン、３５  室内機制御手段、３６  温度センサー、３７  人感センサー、３８  風向手段、１００  空調空間。
【図１】
2017187480.tif 000003
【図２】
2017187480.tif 000004
【図３】
2017187480.tif 000005
【図４】
2017187480.tif 000006
【図５】
2017187480.tif 000007
【手続補正書】
【提出日】平成30年7月20日(2018.7.20)
【手続補正１】
【補正対象書類名】明細書
【補正対象項目名】０００７
【補正方法】変更
【補正の内容】
【０００７】
本発明に係る空気調和装置は、空調空間に風を供給する室内ファンを有する複数の室内機と、空調空間の室内温度を検知する温度センサーと、空調空間における人の存在を検知する人感センサーと、複数の室内機を制御して空調空間全体の空調を制御する空調制御手段とを備え、空調制御手段は、温度センサーにより検知される室内温度と設定温度との温度差のレベルに対応して段階的に規定されている室内ファンの風速の複数の制御レベルの中から、実際の温度差の解消に適した制御レベルを選択し、選択した制御レベルに従って複数の室内機の室内ファンの風速を制御するものであり、複数の室内機に、室内機の運転時に能力よりも静音性を優先させる運転モードである静音性優先モードが設定されている場合、空調制御手段は、複数の制御レベルのうち、所定の風速以上に対応した制御レベルより低い制御レベルの中から制御レベルを選択して室内ファンを制御し、かつ、複数の室内機のそれぞれの室内ファンの能力の総和によって実際の温度差が縮小されるよう、複数の室内機のそれぞれの室内ファンを制御し、複数の室内機のうち少なくとも１つの室内機の能力が他の室内機の能力と異なっており、かつ、複数の室内機のそれぞれの実際の温度差のレベルが異なっているとき、空調制御手段は、複数の室内機のうち、実際の温度差が他の室内機に比べて小さい室内機について、室内ファンの風速を高くするものである。
また、本発明に係る空気調和装置は、空調空間に風を供給する室内ファンを有する複数の室内機と、空調空間の室内温度を検知する温度センサーと、空調空間における人の存在を検知する人感センサーと、複数の室内機を制御して空調空間全体の空調を制御する空調制御手段とを備え、空調制御手段は、温度センサーにより検知される室内温度と設定温度との温度差のレベルに対応して段階的に規定されている室内ファンの風速の複数の制御レベルの中から、実際の温度差の解消に適した制御レベルを選択し、選択した制御レベルに従って複数の室内機の室内ファンの風速を制御するものであり、複数の室内機に、室内機の運転時に能力よりも静音性を優先させる運転モードである静音性優先モードが設定されている場合、空調制御手段は、複数の制御レベルのうち、所定の風速以上に対応した制御レベルより低い制御レベルの中から制御レベルを選択して室内ファンを制御し、かつ、複数の室内機のそれぞれの室内ファンの能力の総和によって実際の温度差が縮小されるよう、複数の室内機のそれぞれの室内ファンを制御し、複数の室内機の能力が同一であるとき、空調制御手段は、空調空間において、人感センサーにより人の存在が検知された室内機の室内ファンの風速を上げるものである。
【手続補正２】
【補正対象書類名】特許請求の範囲
【補正対象項目名】全文
【補正方法】変更
【補正の内容】
【特許請求の範囲】
【請求項１】
空調空間に風を供給する室内ファンを有する複数の室内機と、
空調空間の室内温度を検知する温度センサーと、
空調空間における人の存在を検知する人感センサーと、
前記複数の室内機を制御して空調空間全体の空調を制御する空調制御手段とを備え、
前記空調制御手段は、前記温度センサーにより検知される室内温度と設定温度との温度差のレベルに対応して段階的に規定されている前記室内ファンの風速の複数の制御レベルの中から、実際の前記温度差の解消に適した制御レベルを選択し、選択した制御レベルに従って前記複数の室内機の前記室内ファンの風速を制御するものであり、
前記複数の室内機に、室内機の運転時に能力よりも静音性を優先させる運転モードである静音性優先モードが設定されている場合、前記空調制御手段は、前記複数の制御レベルのうち、所定の風速以上に対応した制御レベルより低い制御レベルの中から制御レベルを選択して前記室内ファンを制御し、かつ、前記複数の室内機のそれぞれの前記室内ファンの能力の総和によって実際の前記温度差が縮小されるよう、前記複数の室内機のそれぞれの前記室内ファンを制御し、
前記複数の室内機のうち少なくとも１つの室内機の能力が他の室内機の能力と異なっており、かつ、前記複数の室内機のそれぞれの実際の前記温度差のレベルが異なっているとき、前記空調制御手段は、前記複数の室内機のうち、実際の前記温度差が他の前記室内機に比べて小さい前記室内機について、前記室内ファンの風速を高くする空気調和装置。
【請求項２】
能力が相対的に高い前記室内機における前記温度差のレベルが、能力が相対的に低い前記室内機における前記温度差のレベルよりも高く、かつ、前記室内機のそれぞれの風速が異なっているとき、
前記空調制御手段は、能力が相対的に低い前記室内機の前記室内ファンの風速を高くする請求項１に記載の空気調和装置。
【請求項３】
能力が相対的に低い前記室内機における前記温度差のレベルが、能力が相対的に高い前記室内機における前記温度差のレベルよりも高く、かつ、前記室内機のそれぞれの風速が異なっているとき、
前記空調制御手段は、能力が相対的に高い前記室内機の前記室内ファンの風速を高くする請求項１または２に記載の空気調和装置。
【請求項４】
前記複数の室内機のうち少なくとも１つの室内機の能力が他の室内機の能力と異なっており、かつ能力が相対的に低い前記室内機における前記温度差のレベルと、能力が相対的に高い前記室内機における前記温度差のレベルとが同一であるとき、
前記空調制御手段は、能力が相対的に低い前記室内機の前記室内ファンの騒音レベルが、能力が相対的に高い前記室内機において、静音性優先モードで選択可能な前記制御レベルのうち最も高い風速に対応する制御レベルが選択されて前記室内ファンが運転されているときの騒音レベルを限度として上昇するよう、能力が相対的に低い前記室内機の前記室内ファンの風速を高くする請求項１〜３のいずれか１項に記載の空気調和装置。
【請求項５】
空調空間に風を供給する室内ファンを有する複数の室内機と、
空調空間の室内温度を検知する温度センサーと、
空調空間における人の存在を検知する人感センサーと、
前記複数の室内機を制御して空調空間全体の空調を制御する空調制御手段とを備え、
前記空調制御手段は、前記温度センサーにより検知される室内温度と設定温度との温度差のレベルに対応して段階的に規定されている前記室内ファンの風速の複数の制御レベルの中から、実際の前記温度差の解消に適した制御レベルを選択し、選択した制御レベルに従って前記複数の室内機の前記室内ファンの風速を制御するものであり、
前記複数の室内機に、室内機の運転時に能力よりも静音性を優先させる運転モードである静音性優先モードが設定されている場合、前記空調制御手段は、前記複数の制御レベルのうち、所定の風速以上に対応した制御レベルより低い制御レベルの中から制御レベルを選択して前記室内ファンを制御し、かつ、前記複数の室内機のそれぞれの前記室内ファンの能力の総和によって実際の前記温度差が縮小されるよう、前記複数の室内機のそれぞれの前記室内ファンを制御し、
前記複数の室内機の能力が同一であるとき、前記空調制御手段は、空調空間において、前記人感センサーにより人の存在が検知された前記室内機の前記室内ファンの風速を上げる空気調和装置。
【請求項６】
前記空調制御手段は、所定期間が経過するまで前記複数の室内機のそれぞれの前記室内ファンの風速を制御する請求項１〜５のいずれか１項に記載の空気調和装置。
【請求項７】
前記所定期間は、静音性優先モードが開始された時点から計測される請求項６に記載の空気調和装置。
【国際調査報告】
2017187480.tif 000008
2017187480.tif 000009
2017187480.tif 000010
2017187480.tif 000011